(57)【要約】【課題】本発明では、アイドリングストップ推進への高い訴求力を備えた、所定の確率に基づき広告内容を変更して表示する車載情報装置、車載情報装置の制御方法及びこれらを実現するための広告情報配信サーバを提供することを目的とする。【解決手段】本発明に係る車載情報端末１００では、当該車載情報端末１００の表示装置２６０に表示させる広告情報を記憶する記憶装置２４０を有する車載情報端末１００であって、当該車載情報端末１００を搭載した車両４００の状態が、所定の状態となったか否かを検知する車両状態検知手段１１０と、車両状態検知手段１１０により所定の状態になったと検知された場合に、表示装置２６０に、広告情報を表示する広告表示手段１３０と、を有することを特徴とする。【選択図】図２
2009271404.tif 000002
【特許請求の範囲】
【請求項１】
当該車載情報端末の表示装置に表示させる広告情報を記憶する記憶装置を有する車載情報端末であって、
当該車載情報端末を搭載した車両の状態が、所定の状態となったか否かを検知する車両状態検知手段と、
前記車両状態検知手段により前記所定の状態になったと検知された場合に、前記表示装置に、前記広告情報を表示する広告表示手段と、を有することを特徴とする車載情報端末。
【請求項２】
前記広告表示手段は、前記広告情報を表示すると共に、所定の確率に基づき、前記広告情報に係る懸賞に当選した旨の情報を表示することを特徴とする請求項１に記載の車載情報端末。
【請求項３】
前記所定の状態とは、アイドリングストップの状態であることを特徴とする請求項１又は２に記載の車載情報端末。
【請求項４】
広告情報配信サーバから配信される情報に基づき、前記記憶装置に記憶する前記広告情報を更新する広告情報更新手段を有することを特徴とする請求項１乃至３の何れか一に記載の車載情報端末。
【請求項５】
前記記憶装置は、ユーザの属性情報を記憶し、
前記広告情報更新手段は、前記属性情報に基づき、前記広告情報を選択して、更新することを特徴とする請求項１乃至４のいずれか一に記載の車載情報端末。
【請求項６】
車載情報端末の表示装置に表示させる広告情報を記憶する記憶装置を有する前記車載情報端末の制御方法であって、
前記車載情報端末を搭載した車両の状態が、所定の状態となったか否かを検知する車両状態検知手順と、
前記車両状態検知手順により前記所定の状態になったと検知された場合に、前記表示装置に、前記広告情報を表示する広告表示手順と、を有することを特徴とする前記車載情報端末の制御方法。
【請求項７】
前記広告表示手順は、前記広告情報を表示すると共に、所定の確率に基づき、前記広告情報に係る懸賞に当選した旨の情報を表示することを特徴とする請求項６に記載の前記車載情報端末の制御方法。
【請求項８】
請求項１乃至５のいずれか一に記載の前記車載情報端末に対し、前記広告情報を配信する広告情報配信手段を有することを特徴とする広告情報配信サーバ。
【発明の詳細な説明】
【技術分野】
【０００１】
本発明は、所定の確率で、広告情報と共に、懸賞に当選した旨の情報を表示する車載情報端末、車載情報端末の制御方法及び広告情報配信サーバの技術に関する。
【背景技術】
【０００２】
近年、二酸化炭素（ＣＯ２）の排出による地球温暖化などの地球環境の破壊が問題となっており、地球環境保護の重要性が提唱されている。そこで、ＣＯ２排出要因の一つである車両のアイドリングを極力少なくすることが、地球環境の保護に重要であると考えられている。
【０００３】
そこで、地球環境の保護に貢献している運転者の存在を、公衆に通知することによって、多くの運転者に地球環境保護のためのアイドリングストップを励行させることが従来考えられてきた。そこで、外部の者にエンジンがアイドリングストップ状態であることを認知させることを目的として、アイドルストップランプを点灯させる技術が開示されている（特許文献１）。
【０００４】
しかしながら、上記技術では、アイドリングストップによる効果を具体的に数値で運転者自身に示すことができず、また、アイドリングストップに貢献した運転者に対する何らのインセンティブを与えることができないことから、環境への実効果を高めることが出来ないという問題点があった。
【０００５】
そこで、特許文献２では、車両の停止時にアイドリングストップをしたら、その停止位置に応じたポイントサービスを行うシステムに関する技術が公開されている。
【特許文献１】特開２００３−２６０９４１号公報
【特許文献２】特開２００５−２２２４１７号公報
【発明の開示】
【発明が解決しようとする課題】
【０００６】
しかしながら、上記技術においては、アイドリングストップ時に運転者へポイント付与を行う形態であるため、当該ポイントの獲得から当該獲得ポイントの使用までにタイムラグがあり、アイドリングストップを積極的に行わせるという訴求力が弱いという問題点があった。
【０００７】
そこで、本発明では、上記問題点に鑑み、アイドリングストップ推進への高い訴求力を備えた、所定の確率に基づき広告内容を変更して表示する車載情報端末、当該車載情報端末の制御方法及びこれらを実現するための広告情報配信サーバを提供することを目的とする。
【課題を解決するための手段】
【０００８】
本発明に係る車載情報端末では、当該車載情報端末の表示装置に表示させる広告情報を記憶する記憶装置を有する車載情報端末であって、当該車載情報端末を搭載した車両の状態が、所定の状態となったか否かを検知する車両状態検知手段と、前記車両状態検知手段により前記所定の状態になったと検知された場合に、前記表示装置に、前記広告情報を表示する広告表示手段と、を有することを特徴とする。
【０００９】
本発明に係る車載情報端末の一形態において、広告表示手段は、前記広告情報を表示すると共に、所定の確率に基づき、前記広告情報に係る懸賞に当選した旨の情報を表示することを特徴とする。
【００１０】
本発明に係る車載情報端末の一形態において、前記所定の状態とは、アイドリングストップの状態であることを特徴とする。
【００１１】
本発明に係る車載情報端末の一形態において、広告情報配信サーバから配信される情報に基づき、前記記憶装置に記憶する前記広告情報を更新する広告情報更新手段を有することを特徴とする。
【００１２】
本発明に係る車載情報端末の一形態において、前記記憶装置は、ユーザの属性情報を記憶し、前記広告情報更新手段は、前記属性情報に基づき、前記広告情報を選択して、更新することを特徴とする。
【００１３】
また、本発明に係る広告情報配信サーバでは、上記特徴を有する車載情報端末に対し、前記広告情報を配信する広告情報配信手段を有することを特徴とする。
【００１４】
従って、本発明では、アイドリングストップ推進への高い訴求力を備えた、所定の確率に基づき広告内容を変更して表示する車載情報端末及びこれを実現するための広告情報配信サーバを提供することができる。
【発明の効果】
【００１５】
本発明では、アイドリングストップ推進への高い訴求力を備えた、所定の確率に基づき広告内容を変更して表示する車載情報端末、当該車載情報端末の制御方法及びこれらを実現するための広告情報配信サーバを提供することができる。
【発明を実施するための最良の形態】
【００１６】
図面を参照しながら、本発明を実施するための最良の形態について説明する。
【００１７】
（本実施の形態に係る車載情報端末及び広告情報配信サーバの動作原理）
図１、２を用いて、本実施の形態に係る車載情報端末及び広告情報配信サーバの動作原理について、説明する。図１は、本実施の形態に係る車載情報端末１００と広告情報配信サーバ３００との構成の一例を示す図である。
【００１８】
図１に示すように、車載情報端末１００は、車両４００内に設置される。また、広告情報配信サーバ３００は、車両４００の外部に配置される。そして、車載情報端末１００と広告情報配信サーバ３００とは、無線通信ネットワークで接続されており、当該無線通信ネットワークを介して、相互に情報の送受信を行う。
【００１９】
図２は、車載情報端末１００と広告情報配信サーバ３００との動作原理を示す図である。
【００２０】
車載情報端末１００は、車両状態検知手段１１０、確率判定手段１２０、広告表示手段１３０、広告情報更新手段１４０、選択手段１５０、記憶手段１６０、記憶装置２４０、表示装置２６０、停車検知装置２７０、エンジン稼働状態検知装置２８０を有する。
【００２１】
一方、広告情報配信サーバ３００は、広告情報配信手段１７０、記憶装置３４０を有する。
【００２２】
記憶装置２４０は、広告情報、ユーザの希望する広告テーマに係る属性情報、当選情報を記憶している。
【００２３】
また、記憶装置３４０は、広告情報を記憶している。
【００２４】
図３を用いて、広告情報の構成を説明する。図３は、記憶装置２４０、３４０が有する広告情報の構成の一例を示す図である。
【００２５】
図３に示すように、記憶装置２４０、３４０には、複数の広告情報が記憶されており、各広告情報は、広告をするための画像データと、それに紐付けられている属性情報とから構成される。この画像データについては、どのようなデータ形式でも良く、静止画像データ、動画像データのどちらであっても良い。
【００２６】
また、属性情報について、図３では、「カー用品」、「子供服」、「電化製品」、「住宅」を例示しているが、他にどのような種類のものでも良い。例えば、属性情報がカー用品である画像データは、カー用品に関する広告を行うための画像データであることを示している。
【００２７】
一方、ユーザの希望する広告テーマに係る属性情報は、車両４００のユーザによって、予め記憶装置２４０に登録（記憶）させる。例えば、ユーザが「カー用品」及び「住宅」の広告テーマに関心があるのであれば、記憶装置２４０には「カー用品」「住宅」の属性情報が記録されている。
【００２８】
当選情報とは、ユーザが懸賞に当選したことを証明するためのデータを指し、ユーザの懸賞当選を証明できるものであれば、どのような形態のデータであっても良い。
表示装置２６０は、画像データを表示するための装置である。
【００２９】
停車検知装置２７０は、車両４００が停車したことを検知する装置である。
【００３０】
エンジン稼働状態検知装置２８０は、車両４００のエンジンの稼働状態を検知する装置であって、当該エンジンのオン状態及びオフ状態を検知する。
【００３１】
車両状態検知手段１１０は、車載情報端末１００を搭載した車両４００の状態が、所定の状態となったことを検知する。
【００３２】
本実施の形態において、所定の状態とは、アイドリングストップの状態を示すこととするが、他の特定の状態に置き換えても本発明は成立する。
【００３３】
ここで、アイドリングストップとは、車両４００が信号待ちなどのために停止した場合に、車両の走行動力源、例えば、エンジンの稼働状態がオフ状態となった状態を言う。車両状態検知手段１１０は、具体的には、停車検知装置２７０を利用して車両４００が停止したことの情報を検知し、さらに加えて、エンジン稼働状態検知装置２８０を利用してエンジンの稼働状態がオフ状態となっていることを検知することにより、車両４００がアイドリングストップ状態であることを検知する。ただし、アイドリングストップの状態を検知する手法は、上述した方法には限られないものとする。
【００３４】
確率判定手段１２０は、所定の確率に基づき、広告情報に係る懸賞に当選した旨の情報を、後述の広告表示手段１３０によって表示させるか否かを判定する。ここで、所定の確率は、適宜変更できるものとし、広告情報、属性情報、その他の情報に従い、適宜設定されるものとする。
【００３５】
広告表示手段１３０は、車両状態検知手段１１０により車両４００がアイドリングストップの状態となったと検知された場合に、記憶装置２４０に記憶されている広告情報に係る画像データを、表示装置２６０に表示する。これが原則的な動作である。
【００３６】
さらに、広告表示手段１３０は、確率判定手段１２０により広告情報に係る懸賞に当選した旨の情報を表示させると判定された場合に、上記広告情報に係る画像データと共に、当該広告情報に係る懸賞に当選した旨の情報を、表示装置２６０に表示する。
【００３７】
広告情報更新手段１４０は、広告情報配信サーバ３００から更新すべき広告情報を取得し、記憶装置２４０に記憶されている広告情報を更新する。
【００３８】
詳細には、広告情報更新手段１４０は、広告情報配信サーバ３００に対し、更新すべき広告情報を配信するよう配信要求を行う。そして、広告情報更新手段１４０は、当該配信要求への応答である広告情報を取得し、それに基づき記憶装置２４０の広告情報を更新する。
【００３９】
一方、広告情報更新手段１４０の一形態では、記憶装置２４０に記憶されたユーザ希望の広告テーマに係る属性情報に基づき、選択的に広告情報を取得し、取得した広告情報を用いて、記憶装置２４０に記憶されている広告情報を更新する。記憶装置２４０に記憶する広告情報を選択・限定することで、記憶装置２４０に要求される記憶容量を小さく抑えることができる。
【００４０】
この場合、上記配信要求に、ユーザ希望の広告テーマに係る属性情報を付加し、当該属性情報に選択・限定した広告情報の配信要求を行うことで、広告情報更新手段１４０は、選択的に広告情報を取得し、取得した広告情報を用いて、記憶装置２４０に記憶されている広告情報を更新する。
【００４１】
一方、広告情報更新手段１４０は、一定の更新周期毎に自動配信される広告情報を受信し、その受信した広告情報に基づいて、記憶装置２４０の広告情報を更新する形態としても良い。
【００４２】
選択手段１５０は、広告表示手段１３０により表示される広告情報に係る画像データを、記憶装置２４０に記憶されているユーザ希望の広告テーマに即したものに選択する。
【００４３】
具体的には、選択手段１５０は、図３に示す広告情報の一部である属性情報と、記憶装置２４０に記憶されたユーザ希望の広告テーマに係る属性情報とが一致するか否か判定を行い、広告表示手段１３０に当該一致した広告情報に係る画像データを表示させる。
【００４４】
記憶手段１６０は、当選情報を記憶装置２４０に記憶する。
【００４５】
広告情報配信手段１７０は、車載情報端末１００に対して、記憶装置２４０に記憶されている広告情報を更新するための広告情報を配信する。具体的には、広告情報配信手段１７０は、広告情報更新手段１４０による広告情報の配信要求があった場合、それに応じて、広告情報を配信する。
【００４６】
また、広告情報配信手段１７０は、一定の更新周期に基づいて、広告情報を配信する形態としても良い。例えば、広告情報配信手段１７０は、１時間毎に、自動的に広告情報を配信する形態である。
【００４７】
一方、広告情報配信手段１７０の一形態では、広告情報更新手段１４０によりユーザ希望の広告テーマに係る属性情報を付加し、当該属性情報に選択・限定した広告情報の配信要求があった場合に、当該配信要求に従い、選択的に広告情報の配信を行う。
【００４８】
この場合、広告情報配信手段１７０は、広告情報更新手段１４０により付加されたユーザ希望の広告テーマに係る属性情報と、記憶装置３４０に記憶している広告情報に係る属性情報とが一致するか否か判定し、一致した属性情報を含む広告情報のみを配信する。
【００４９】
以下で、車載情報端末１００及び広告情報配信サーバ３００の処理の流れを説明する。
【００５０】
はじめに、広告情報を表示装置２６０に表示させる処理について説明をする。
【００５１】
車両状態検知手段１１０が、停車検知装置２７０及びエンジン稼働状態検知装置２８０の検知結果を利用して、車両４００のアイドリングストップ状態を検知する。当該状態が検知された場合、確率判定手段１２０が、広告画像と共に、懸賞に当選した旨の情報を表示するか否かを判定する。
【００５２】
そして、確率判定手段１２０により広告画像と共に、懸賞に当選した旨の情報を表示すると判定された場合、広告表示手段１３０が、記憶装置２４０に記憶されている広告画像と共に、懸賞に当選した旨の情報を、表示装置２６０に表示する。その後、記憶手段１６０が、懸賞に当選した旨の情報を、記憶装置２４０に記憶する。
【００５３】
また、広告表示手段１３０は、選択手段１５０により選択された広告画像を表示装置２６０に表示するとしても良い。
【００５４】
次に、広告情報を更新する処理について説明をする。
広告情報更新手段１４０が、広告情報配信サーバ３００に対して、広告情報を配信するよう要求を行う。それに応答するかたちで、広告情報配信手段１７０が、車載情報端末１００に対し、広告情報を配信する。そして、広告情報更新手段１４０が、当該広告情報を取得し、記憶装置２４０に記憶する。
【００５５】
ここで、広告情報更新手段１４０が、記憶装置２４０に記憶された、ユーザ希望の広告テーマに係る属性情報に基づき、選択的な広告情報の配信要求を行った場合、広告情報配信手段１７０は、その要求に応じた広告情報を配信し、広告情報更新手段１４０は、当該広告情報を取得し、記憶装置２４０に記憶する。
【００５６】
上記のような処理を行うことで、アイドリングストップ推進への高い訴求力を備えた、所定の確率に基づき広告内容を変更して表示する車載情報装置及びこれを実現するための広告情報配信サーバを提供することができる。
【００５７】
（本実施の形態に係る車載情報端末のハードウェア構成）
図４を用いて、本実施の形態に係る車載情報端末のハードウェア構成について説明する。図４は、本実施の形態に係る車載情報端末１００のハードウェア構成の一例を示す図である。
【００５８】
車載情報端末１００は、ＣＰＵ（Ｃｅｎｔｒａｌ  Ｐｒｏｃｅｓｓｉｎｇ  Ｕｎｉｔ）２１０、ＲＯＭ（Ｒｅａｄ−Ｏｎｌｙ  Ｍｅｍｏｒｙ）２２０、ＲＡＭ（Ｒａｍｄｏｍ  Ａｃｃｅｓｓ  Ｍｅｍｏｒｙ）２３０、ＨＤＤ（Ｈａｒｄ  Ｄｉｓｋ  Ｄｒｉｖｅ）２４０、通信Ｉ／Ｆ（ＩｎｔｅｒＦａｃｅ）２５０、表示装置２６０、停車検知装置２７０、エンジン稼働状態検知装置２８０を有する。
【００５９】
ＣＰＵ２１０は、ＲＯＭ２２０に記憶されたプログラムを実行する装置で、ＲＡＭ２３０に展開（ロード）されたデータを、プログラムの命令に従って演算処理し、車載情報端末１００の全体を制御する。
【００６０】
ＲＯＭ２２０は、ＣＰＵ２１０が実行するプログラムやデータを記憶している。
【００６１】
ＲＡＭ２３０は、ＣＰＵ２１０でＲＯＭ２２０に記憶されたプログラムを実行する際に、実行するプログラムやデータが展開（ロード）され、演算の間、演算データを一時的に保持する。
【００６２】
ＨＤＤ２４０は、基本ソフトウェアであるＯＳ（Ｏｐｅｒａｔｉｎｇ  Ｓｙｓｔｅｍ）、本実施の形態に係るアプリケーションプログラムや機能拡張用のプラグインなどを、関連するデータとともに記憶する装置である。
【００６３】
通信Ｉ／Ｆ２５０は、通信ネットワークを介して接続された他の通信制御機能を備えた周辺機器と情報（データ）をやり取りするインタフェースである。本実施の形態では、通信Ｉ／Ｆ２５０を介し無線通信ネットワーク通じて、広告情報配信サーバ３００と広告情報の送受信を行う。
【００６４】
表示装置２６０は、ハードキーによるキースイッチとＬＣＤ（Ｌｉｑｕｉｄ  Ｃｒｙｓｔａｌ  Ｄｉｓｐｌａｙ）とから構成され、車載情報端末１００が有する機能をユーザが利用する際に、各種設定を行うなどのユーザインタフェースとして機能する装置である。
【００６５】
停車検知装置２７０は、車両４００が停車したことを検知する装置である。
【００６６】
エンジン稼働状態検知装置２８０は、車両４００の走行動力源であるエンジンの稼働状態を検知する装置である。
【００６７】
以下で、車載情報端末１００の処理の流れを、各処理で使用するハードウェアを含めて説明する。ただし、各手段は、ＣＰＵ２１０が、ＲＯＭ２２０又はＨＤＤ２４０に記憶された各手段に対応するプログラムを実行することにより実現されるため、この点に関しては説明を省略する。
【００６８】
はじめに、広告情報を表示装置２６０に表示させる処理について説明をする。
【００６９】
車両状態検知手段１１０が、車両４００のアイドリングストップ状態を検知する。ここで、車両状態検知手段１１０は、停車検知装置２７０が車両４００の停車動作を検知し、更に加えて、エンジン稼働状態検知装置２８０が車両４００のエンジンのオフ状態を検知した場合に、車両４００がアイドリングストップ状態になったと検知する。
【００７０】
当該状態が検知された場合、確率判定手段１２０が、広告画像と共に、懸賞に当選した旨の情報を表示するか否かを判定する。
【００７１】
そして、確率判定手段１２０により広告画像と共に、懸賞に当選した旨の情報を表示すると判定された場合、広告表示手段１３０が、ＨＤＤ２４０に記憶した広告画像と共に、懸賞に当選した旨の情報を、表示装置２６０に表示する。その後、記憶手段１６０が、懸賞に当選した旨の情報を、ＨＤＤ２４０に記憶する。
【００７２】
また、広告表示手段１３０が、選択手段１５０により選択された広告画像を表示装置２６０に表示するとしても良い。
【００７３】
次に、広告情報を更新する処理について説明をする。
【００７４】
広告情報更新手段１４０が、通信Ｉ／Ｆ２５０を介して、広告情報配信サーバ３００に対し、広告情報を配信するよう要求を行う。そして、広告情報更新手段１４０が、通信Ｉ／Ｆ２５０を介して、当該要求に対する応答である広告情報を取得し、ＨＤＤ２４０に記憶する。
【００７５】
ここで、広告情報更新手段１４０は、ＨＤＤ２４０に記憶された、ユーザ希望の広告テーマに係る属性情報に基づき、選択的な広告情報の配信要求を行っても良い。
【００７６】
（本実施の形態に係る広告情報配信サーバのハードウェア構成）
図５を用いて、本実施の形態に係る広告情報配信サーバのハードウェア構成について説明する。図５は、本実施の形態に係る広告情報配信サーバ３００のハードウェア構成の一例を示す図である。
【００７７】
広告情報配信サーバ３００は、ＣＰＵ３１０、ＲＯＭ３２０、ＲＡＭ３３０、ＨＤＤ３４０、通信Ｉ／Ｆ３５０、表示装置３６０、その他装置３７０を有する。
【００７８】
ＣＰＵ３１０は、ＲＯＭ３２０に記憶されたプログラムを実行する装置で、ＲＡＭ３３０に展開（ロード）されたデータを、プログラムの命令に従って演算処理し、広告情報配信サーバ３００の全体を制御する。
【００７９】
ＲＯＭ３２０は、ＣＰＵ３１０が実行するプログラムやデータを記憶している。
ＲＡＭ３３０は、ＣＰＵ３１０でＲＯＭ３２０に記憶されたプログラムを実行する際に、実行するプログラムやデータが展開（ロード）され、演算の間、演算データを一時的に保持する。
【００８０】
ＨＤＤ３４０は、基本ソフトウェアであるＯＳ、本実施の形態に係るアプリケーションプログラムや機能拡張用のプラグインなどを、関連するデータとともに記憶する装置である。
【００８１】
通信Ｉ／Ｆ３５０は、通信ネットワークを介して接続された他の通信制御機能を備えた周辺機器と情報（データ）の授受を行うインタフェースである。本実施の形態では、通信Ｉ／Ｆ３５０を介し無線通信ネットワークを通じて、車載情報端末１００と広告情報の送受信を行う。また、通信Ｉ／Ｆ３５０を介しＬＡＮ（Ｌｏｃａｌ  Ａｒｅａ  Ｎｅｔｗｏｒｋ）に接続され、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などの通信プロトコルに従って、ＬＡＮで接続されたＰＣ端末との間で、車載情報端末１００に配信すべき広告情報を収集するための送受信を行う。
【００８２】
表示装置３６０は、ハードキーによるキースイッチとＬＣＤとから構成され、広告情報配信サーバ３００が有する機能を広告情報配信サーバ３００のユーザが利用する際に、各種設定を行うなどのユーザインタフェースとして機能する装置である。
【００８３】
その他装置３７０は、ＤＶＤ等の外部記憶媒体とデータの授受を行う外部記憶媒体Ｉ／Ｆ等の装置である。
【００８４】
以下で、広告情報配信サーバ３００の処理の流れを、各処理で使用するハードウェアを含めて説明する。ただし、各手段は、ＣＰＵ３１０が、ＲＯＭ３２０又はＨＤＤ３４０に記憶された各手段に対応するプログラムを実行することにより実現されるため、この点に関しては説明を省略する。
【００８５】
車載情報端末１００から、広告情報の配信要求があった場合の処理について説明をする。
まず、広告情報配信手段１７０が、通信Ｉ／Ｆ３５０を介して、広告情報更新手段１４０による広告情報の更新要求を受信する。
【００８６】
当該更新要求に応答して、広告情報配信手段１７０が、通信Ｉ／Ｆ３５０を介して、ＨＤＤ３４０に記憶された広告情報を配信する。
【００８７】
また、広告情報更新手段１４０によりユーザ希望の広告テーマに基づく選択的な更新要求があった場合には、広告情報配信手段１７０が、当該選択的な更新要求に応じて、ＨＤＤ３４０に記憶した広告情報を配信する。
【００８８】
（車載情報端末による広告情報の表示）
図６を用いて、本実施の形態に係る車載情報端末による広告情報の表示処理について説明する。図６は、本実施の形態に係る車載情報端末１００による広告情報の表示処理の流れを示すフローチャートである。
【００８９】
Ｓ１で車載情報端末１００が、広告情報の表示処理を開始する。
Ｓ２で車両状態検知手段１１０が、停車検知装置２７０及びエンジン稼働状態検知装置２８０の検知結果を利用して、車両４００のアイドリングストップを検知した場合（Ｓ２でＹｅｓの場合）、Ｓ３での処理を実行する。
【００９０】
Ｓ２で車両状態検知手段１１０が、車両４００のアイドリングストップを検知しない場合（Ｓ２でＮｏの場合）、Ｓ２で車載情報端末１００は待機する。
【００９１】
Ｓ３で確率判定手段１２０が、所定の確率に基づき、広告画像と共に、懸賞に当選した旨の情報を表示するか否かを判定し、懸賞に当選した旨の情報を表示すると判定した場合（Ｓ３でＹｅｓの場合）、Ｓ４で広告表示手段１３０が、ＨＤＤ２４０に記憶されている広告画像と共に、懸賞に当選した旨の情報を表示装置２６０に表示する。
【００９２】
Ｓ３で確率判定手段１２０が、懸賞に当選した旨の情報を表示しないと判定した場合（Ｓ３でＮｏの場合）、Ｓ５で広告表示手段１３０が、ＨＤＤ２４０に記憶されている広告画像のみを表示装置２６０に表示する。
【００９３】
Ｓ６で車載情報端末１００が、広告情報の表示処理に係る終了命令を受けた場合（Ｓ６でＹｅｓの場合）、Ｓ７で車載情報端末１００は広告情報の表示処理を終了する。
Ｓ６で車載情報端末１００が、広告情報の表示処理に係る終了命令を受けない場合（Ｓ６でＮｏの場合）、Ｓ２で車載情報端末１００は待機する。
【００９４】
（車載情報端末による広告情報の表示処理の変形例）
図６を用いて、上記で説明した車載情報端末１００による広告情報の表示処理について、変形例を説明する。
【００９５】
ここでは、表示装置２６０に表示させる広告情報を、ユーザの希望する広告テーマに選択して表示する処理について説明する。また、上記説明と異なる部分についてのみ説明を行う。
【００９６】
Ｓ４で広告表示手段１３０が、選択手段１５０によりユーザの希望する広告テーマに選択・限定した、広告画像を表示装置２６０に表示する。
【００９７】
また、Ｓ５で広告表示手段１３０が、選択手段１５０によりユーザの希望する広告テーマに選択・限定した、広告画像を表示装置２６０に表示する。
【００９８】
車載情報端末１００は、ユーザが希望する広告テーマに絞った広告情報を表示するため、ユーザのアイドリングストップへの関心を高め、アイドリングストップ推進への訴求力を高めることができる。
【００９９】
（車載情報端末による広告情報の更新）
図７を用いて、本実施の形態に係る車載情報端末による広告情報の更新処理について説明する。図７は、本実施の形態に係る車載情報端末１００による広告情報の更新処理の流れを示すフローチャートである。
【０１００】
Ｓ１１で車載情報端末１００は、広告情報の更新処理を開始する。
【０１０１】
Ｓ１２で記憶装置２４０に記憶する広告情報の更新時期が到来した場合（Ｓ１２でＹｅｓの場合）、Ｓ１３で広告情報更新手段１４０が、通信Ｉ／Ｆ２５０を介して、広告情報更新サーバ３００に広告情報の更新要求を送信する。
【０１０２】
続いて、Ｓ１３では広告情報更新手段１４０が、通信Ｉ／Ｆ２５０を介して、広告情報更新サーバ３００の応答を受信する。
【０１０３】
Ｓ１２で記憶装置２４０に記憶する広告情報の更新時期がまだ到来していない場合（Ｓ１２でＮｏの場合）、Ｓ１２で車載情報端末１００は待機する。
【０１０４】
Ｓ１４で広告情報更新手段１４０が、記憶装置２４０に記憶した広告情報を、Ｓ１３で受信した広告情報更新サーバ３００の応答による広告情報に更新する。
【０１０５】
Ｓ１５で車載情報端末１００は、広告情報の更新処理に係る終了命令を受けた場合（Ｓ１５でＹｅｓの場合）、Ｓ１６で車載情報端末１００は、広告情報の更新処理を終了する。
【０１０６】
Ｓ１５で車載情報端末１００は、広告情報の更新処理に係る終了命令を受けない場合（Ｓ１５でＮｏの場合）、Ｓ１２で車載情報端末１００は待機する。
【０１０７】
（車載情報端末による広告情報の更新処理の変形例）
図７を用いて、上記で説明した車載情報端末１００による広告情報の更新処理について、変形例を説明する。
【０１０８】
ここでは、上記で説明した広告情報配信サーバ３００に対して行う配信要求に加え、ユーザの希望する広告テーマに選択・限定するよう更に要求する場合について説明する。また、上記説明と異なる部分についてのみ説明を行う。
【０１０９】
Ｓ１３で広告情報更新手段１４０は、記憶装置２４０に記憶しているユーザ希望の広告テーマに係る属性情報と合致する広告情報に限定して、広告情報を配信するよう更新要求を送信する。
【０１１０】
また、Ｓ１３で広告情報更新手段１４０が、記憶装置２４０に記憶しているユーザ希望の広告テーマに係る属性情報と合致する広告情報に限定して、広告情報を配信するよう更新要求を送信した場合、広告情報更新手段１４０は、当該選択・限定された広告テーマに関する広告情報を受信する。
【０１１１】
こうすることで、車載情報端末１００と広告情報配信サーバ３００との間で送受信を行う情報量を小さく抑えることができ、また、記憶装置２４０に記憶する広告情報の情報量も小さく抑えることができる。
【０１１２】
（広告情報配信サーバによる広告情報の配信）
図８を用いて、本実施の形態に係る広告情報配信サーバによる広告情報の配信処理について説明する。図８は、本実施の形態に係る広告情報配信サーバ３００による広告情報の配信処理の流れを示すフローチャートである。
Ｓ２１で広告情報配信サーバ３００が、広告情報の配信処理を開始する。
【０１１３】
Ｓ２２で広告情報配信手段１７０が、通信Ｉ／Ｆ３５０を介して、車載情報端末１００による広告情報の配信要求を受信した場合（Ｓ２２でＹｅｓの場合）、Ｓ２３で広告情報配信手段１７０が、通信Ｉ／Ｆ３５０を介して車載情報端末１００へ、ＨＤＤ３４０に記憶している広告画像を配信する。
【０１１４】
Ｓ２２で広告情報配信手段１７０が、車載情報端末１００による広告情報の配信要求を受信していない場合（Ｓ２２でＮｏの場合）、Ｓ２２で広告情報配信サーバ３００は待機する。
【０１１５】
Ｓ２４で広告情報配信サーバ３００が、広告情報の配信処理に係る終了命令を受けた場合（Ｓ２４でＹｅｓの場合）、Ｓ２５で広告情報配信サーバ３００は、広告情報の配信処理を終了する。
【０１１６】
Ｓ２４で広告情報配信サーバ３００が、広告情報の配信処理に係る終了命令を受けない場合（Ｓ２４でＮｏの場合）、Ｓ２２で広告情報配信サーバ３００は待機する。
【０１１７】
（広告情報配信サーバによる広告情報の配信処理の変形例）
図８を用いて、上記で説明した広告情報配信サーバによる広告情報の配信処理について、変形例を説明する。
【０１１８】
ここでは、車載情報端末１００からの広告情報の配信要求が、ユーザの希望する広告テーマに選択して配信するように要求している場合について説明する。また、上記説明と異なる部分についてのみ説明を行う。
【０１１９】
Ｓ２２で広告情報配信手段１７０が、通信Ｉ／Ｆ３５０を介して、車載情報端末１００による広告情報の配信要求を受信した場合（Ｓ２２でＹｅｓの場合）であって、当該配信要求が、ユーザの希望する広告テーマに係る広告情報を選択して配信するよう要求している場合、Ｓ２３で広告情報配信手段１７０が、通信Ｉ／Ｆ３５０を介して車載情報端末１００へ、ユーザが希望する広告テーマに選択して、ＨＤＤ３４０に記憶している広告画像を配信する。
【０１２０】
こういった処理を行うことで、車載情報端末１００と広告情報配信サーバ３００との間で送受信する情報量を小さく抑えることがでる。
【０１２１】
（総括）
上記で示したような一連の処理を行うことで、本発明では、アイドリングストップ推進への高い訴求力を備えた、所定の確率に基づき広告内容を変更して表示する車載情報端末及びこれを実現するための広告情報配信サーバを提供することができる。
以上、本発明の実施の形態について詳述したが、本発明は係る特定の実施の形態に限定されるものではなく、特許請求の範囲に記載された本発明の要旨の範囲において、種々の変形・変更が可能である。
【図面の簡単な説明】
【０１２２】
【図１】本実施の形態に係る車両、車載情報端末及び広告情報配信サーバの構成の一例を示した図である。
【図２】本実施の形態に係る車載情報端末及び広告情報配信サーバの動作原理を示した図である。
【図３】本実施の形態に係る記憶装置に記憶された広告情報の構成の一例を示した図である。
【図４】本実施の形態に係る車載情報端末のハードウェア構成の一例を示した図である。
【図５】本実施の形態に係る広告情報配信サーバのハードウェア構成の一例を示した図である。
【図６】本実施の形態に係る車載情報端末による広告情報の表示処理の流れを示したフローチャートである。
【図７】本実施の形態に係る車載情報端末による広告情報の更新処理の流れを示したフローチャートである。
【図８】本実施の形態に係る広告情報配信サーバによる広告情報の配信処理の流れを示したフローチャートである。
【符号の説明】
【０１２３】
１００  車載情報端末
１１０  車両状態検知手段
１２０  確率判定手段
１３０  広告表示手段
１４０  広告情報更新手段
１５０  選択手段
１６０  記憶手段
１７０  広告情報配信手段
２１０、３１０  ＣＰＵ
２２０、３２０  ＲＯＭ
２３０、３３０  ＲＡＭ
２４０、３４０  ＨＤＤ
２５０、３５０  通信Ｉ／Ｆ
２６０、３６０  表示装置
２７０、３７０  その他装置
３００  広告情報配信サーバ
４００  車両
【図１】
2009271404.tif 000003
【図２】
2009271404.tif 000004
【図３】
2009271404.tif 000005
【図４】
2009271404.tif 000006
【図５】
2009271404.tif 000007
【図６】
2009271404.tif 000008
【図７】
2009271404.tif 000009
【図８】
2009271404.tif 000010